(57)【要約】本発明は、無線システムにおいて無線リソースを管理するための方法及び無線システムに係る。この方法は、無線セルの無線容量情報を受信するステップと、無線ネットワークのベースステーションをコアネットワークに接続するのに使用される搬送ネットワークに関する搬送容量情報を受信するステップとを備えている。この方法は、更に、搬送容量情報に基づいて無線セルに対する搬送容量限界を決定するステップと、無線セルの搬送容量限界を前記ベースステーションへシグナリングするステップと、ベースステーションにおいて搬送容量限界に基づいて無線容量情報を調整するステップと、無線セルに関する前記調整された無線容量情報をベースステーションからシグナリングするステップと、無線セルに関する前記シグナリングされた調整された無線容量情報を使用することにより無線ネットワークの無線リソースを管理するステップと、を備えている。
2005539445.tif 000002
【特許請求の範囲】
【請求項１】
無線システムにおいて無線リソースを管理する方法であって、無線リソースは、無線システムの無線ネットワークにおいてユーザ装置とベースステーションの無線セルとの間に無線接続を与えるのに使用されるものであり、前記方法は、無線セルに関する無線容量情報を受信するステップ(402)と、無線ネットワークのベースステーションをコアネットワークに接続するのに使用される搬送ネットワークに関する搬送容量情報を受信するステップ(404)とを備えた方法において、更に、
前記搬送容量情報に基づいて無線セルに対する搬送容量限界を決定するステップ(406)と、
前記無線セルの搬送容量限界を前記ベースステーションへシグナリングするステップ(408)と、
前記ベースステーションにおいて前記搬送容量限界に基づいて前記無線容量情報を調整するステップ(410)と、
無線セルに関する前記調整された無線容量情報を前記ベースステーションからシグナリングするステップ(412)と、
無線セルに関する前記シグナリングされた調整された無線容量情報を使用することにより前記無線ネットワークの無線リソースを管理するステップ(414)と、
を備えたことを特徴とする方法。
【請求項２】
前記受信した搬送容量限界に基づいて無線セルの使用可能な無線容量を調整するステップを更に備えた請求項１に記載の方法。
【請求項３】
前記無線容量情報は、無線セルの現在セル負荷及び最大無線容量、無線セルの現在セル負荷及び使用可能な無線容量、搬送ネットワークの搬送負荷、無線ネットワークの１つのベースステーションから無線ネットワークの別のベースステーションへの接続の搬送負荷より成るグループから選択された少なくとも１つのエレメントを指示する請求項１に記載の方法。
【請求項４】
無線セルに関する前記調整された無線容量情報を、前記ベースステーションから、無線リソースの管理に使用すべく無線リソース管理ユニットへシグナリングするステップ(412)を更に備えた請求項１に記載の方法。
【請求項５】
無線セルに関する前記調整された無線容量情報を、前記ベースステーションから、無線リソースの管理に使用すべく共通無線リソース管理サーバーへシグナリングするステップ(412)を更に備えた請求項１に記載の方法。
【請求項６】
搬送リソース管理ユニットにおいて無線セルの搬送容量限界を決定するステップ(406)を更に備えた請求項１に記載の方法。
【請求項７】
インターネットプロトコル搬送リソースマネージャーにおいて無線セルの搬送容量限界を決定するステップ(406)を更に備えた請求項１に記載の方法。
【請求項８】
無線セルに関する前記調整された無線容量情報に基づいてハンドオーバーリストを編成するステップを更に備えた請求項１に記載の方法。
【請求項９】
無線セルに関する前記調整された無線容量情報は、ベースステーション許可要求を取り扱うときに使用される請求項１に記載の方法。
【請求項１０】
無線セルに関する前記調整された無線容量情報は、ハンドオーバー要求を取り扱うときに使用される請求項１に記載の方法。
【請求項１１】
無線送信及び受信のための無線セル(124,125,128,129)をユーザ装置(370)に与える少なくとも１つのベースステーション(326)を含んだ少なくとも１つの無線ネットワーク(324)と、
前記無線ネットワークの前記ベースステーションに無線システムのコアネットワーク(100)への接続を与えるための搬送ネットワーク(322)と、
前記無線ネットワーク(324)において前記ベースステーション(326,328)と前記ユーザ装置(370)との間の無線リソースを管理するための無線リソース管理ユニット(301)であって、前記無線セル(124,125,128,129)に関する無線容量情報を受信するように構成された無線リソース管理ユニットと、
前記搬送ネットワークのリソースを管理するための搬送リソース管理ユニット(300)であって、前記搬送ネットワーク(322)に関する搬送容量情報を受信するように構成された搬送リソース管理ユニット(300)と、
を備えた無線システムにおいて、
前記搬送リソース管理ユニット(300)は、前記搬送容量情報に基づいて無線セルに対する搬送容量限界を決定するように構成され、
前記搬送リソース管理ユニット(300)は、前記無線セルの搬送容量限界を前記ベースステーション(326)へシグナリングするように構成され、
前記ベースステーション(326)は、前記搬送容量限界に基づいて無線セルに関する無線容量情報を調整するように構成され、
前記ベースステーション(326)は、無線セルに関する前記調整された無線容量情報を、無線リソースの管理に使用すべく前記無線リソース管理ユニット(301)へシグナリングするように構成され、更に、
前記搬送リソース管理ユニット(301)は、無線セルに関する前記シグナリングされた調整された無線容量情報を使用することにより前記無線ネットワーク(324)の無線リソースを管理するように構成された、
ことを特徴とする無線システム。
【請求項１２】
前記無線セルの使用可能な無線容量は、前記受信した搬送容量限界に基づいて調整される請求項１１に記載のシステム。
【請求項１３】
前記無線容量情報は、無線セル(124,125,128,129)の現在セル負荷及び最大無線容量、無線セル(124,125,128,129)の現在セル負荷及び使用可能な無線容量、搬送ネットワーク(322)の搬送負荷、無線ネットワークの１つのベースステーション(326)から無線ネットワーク(324)の別のベースステーション(328)への接続の搬送負荷より成るグループから選択された少なくとも１つのエレメントを指示する請求項１１に記載のシステム。
【請求項１４】
前記ベースステーション(326)は、無線セルに関する前記調整された無線容量情報を、無線リソースの管理に使用すべく共通無線リソース管理サーバー(301)へシグナリングするように構成された請求項１１に記載のシステム。
【請求項１５】
無線セル(124,125,128,129)に関する前記調整された無線容量情報に基づいてハンドオーバーリストが編成される請求項１１に記載のシステム。
【請求項１６】
無線セル(124,125,128,129)に関する前記調整された無線容量情報は、ベースステーション許可要求を取り扱うときに使用される請求項１１に記載のシステム。
【請求項１７】
無線セル(124,125,128,129)に関する前記調整された無線容量情報は、ハンドオーバー要求を取り扱うときに使用される請求項１１に記載のシステム。
【請求項１８】
前記ベースステーション(326)は、前記搬送容量限界に基づいて無線セルの使用可能な無線容量を調整するように構成される請求項１１に記載のシステム。
【請求項１９】
前記搬送リソース管理ユニット(300)は、インターネットプロトコル搬送リソースマネージャーである請求項１１に記載のシステム。
【請求項２０】
前記無線リソース管理ユニット(301)は、共通無線リソース管理サーバーである請求項１１に記載のシステム。
【請求項２１】
前記無線リソース管理ユニット(301)は、無線セルに関する前記調整された無線容量情報に基づいてハンドオーバーリストを編成するように構成される請求項１１に記載のシステム。
【請求項２２】
無線送信及び受信のための無線セルをユーザ装置に与える少なくとも１つのベースステーションと、該ベースステーションとユーザ装置との間の無線リソースを管理するためのもので、無線セルに関する無線容量情報を受信するように構成された無線リソース管理ユニットとを備えた無線システム内で、搬送ネットワークリソースを管理しそして搬送ネットワークに関する搬送容量情報を受信するための搬送リソース管理ユニットにおいて、
前記搬送容量情報に基づいて無線セルに対する搬送容量限界を決定すると共に、その搬送容量限界を前記ベースステーションへシグナリングして、その搬送容量限界に基づいて前記無線容量情報を調整し、更に、その調整された無線容量情報を前記無線リソース管理ユニットへシグナリングし、そのシグナリングされた調整された無線容量情報を使用することにより無線ネットワークの無線リソースを管理するように構成された、
ことを特徴とする搬送リソース管理ユニット。
【請求項２３】
無線システムの無線ネットワークにおいてベースステーションとユーザ装置との間の無線リソースを管理するための無線リソース管理ユニットであって、無線セルに関する無線容量情報を受信するように構成された無線リソース管理ユニットにおいて、
該無線リソース管理ユニットは、無線セルに関するシグナリングされた調整された無線容量情報を使用することにより無線ネットワークの無線リソースを管理するように構成され、前記シグナリングされた調整された無線容量情報は、ベースステーションからシグナリングされると共に、無線システムの搬送ネットワークに関する搬送容量情報に基づいて決定された搬送容量限界に基づいて調整される、
ことを特徴とする無線リソース管理ユニット。
【請求項２４】
無線システムのコアネットワークへの接続をベースステーションに与えるための搬送ネットワークと、ベースステーションとユーザ装置との間の無線リソースを管理するための無線リソース管理ユニットと、無線セルに関する無線容量情報を受信するように構成された無線リソース管理ユニットと、更に、前記搬送ネットワークのリソースを管理するためのもので、前記搬送ネットワークに関する搬送容量情報を受信するように構成された搬送リソース管理ユニットとを備えた無線システム内で、無線送信及び受信のための無線セルをユーザ装置に与える無線システムのベースステーションにおいて、
このベースステーションは、搬送容量情報に基づいて決定されて搬送リソース管理ユニットからシグナリングされた搬送容量限界に基づいて、無線セルの無線容量情報を調整するように構成され、更に、
このベースステーションは、無線セルに関するその調整された無線容量情報を無線リソース管理ユニットへシグナリングして、その調整された無線容量情報を使用することにより無線リソースを管理するように構成された、
ことを特徴とするベースステーション。
【請求項２５】
前記ベースステーションは、無線リソース管理ユニットを含む請求項２４に記載のベースステーション。
【請求項２６】
前記ベースステーションは、搬送リソース管理ユニットを含む請求項２４に記載のベースステーション。
【請求項２７】
無線送信及び受信のための無線セルをユーザ装置に与えるベースステーションであって、無線ネットワーク(324)のベースステーションとユーザ装置との間の無線リソースを管理するためのもので、無線セルに関する無線容量情報を受信するように構成された無線リソース管理ユニット(301)と、搬送ネットワークのリソースを管理するためのもので、搬送ネットワーク(322)に関する搬送容量情報を受信するように構成された搬送リソース管理ユニット(300)とを備えているようなベースステーションにおいて、
前記搬送リソース管理ユニット(300)は、搬送容量情報に基づいて無線セルに対する搬送容量限界を決定するように構成され、
前記搬送リソース管理ユニット(300)は、前記無線セルの搬送容量限界をベースステーションへシグナリングするように構成され、
前記ベースステーションは、前記搬送容量限界に基づいて無線セルに関する無線容量情報を調整するように構成され、
前記ベースステーションは、無線セルに関するその調整された無線容量情報を、無線リソースの管理に使用すべく前記無線リソース管理ユニット(301)へシグナリングするように構成され、そして
前記搬送リソース管理ユニット(301)は、無線セルに関するそのシグナリングされた調整された無線容量情報を使用することにより無線ネットワーク(324)の無線リソースを管理するように構成された、
ことを特徴とするベースステーション。
【発明の詳細な説明】
【技術分野】
【０００１】
本発明は、無線システムにおいて無線リソースを管理する方法、及び無線システムに係る。
【背景技術】
【０００２】
ユーザの数及び移動装置の密度が更に増加すると共に、ワイヤレス通信システムを経て大量の情報を転送する必要性が高まっている。これは、移動通信システムの容量について益々逼迫した需要及び要求を生じさせる。
【０００３】
１つの形式の無線アクセス技術だけではなく、将来のワイヤレス通信ネットワークは、多数の形式の無線アクセス技術、例えば、ＷＣＤＭＡ（ワイドバンドコード分割多重アクセス）、ＧＳＭ／ＥＤＧＥ（移動通信用のグローバルシステム／グローバルな発展のための改善型データレート）、等を使用しなければならないことが提案されている。異なる技術を使用する場合、ネットワーク全体として、それら異なる技術のカバレージ及び容量特性の利点を取り入れることができる。これは、ネットワークリソースを管理するための新たな需要を引き起こす。重要な需要は、リソースを浪費せずにネットワークのサービスクオリティ（ＱｏＳ）を管理することである。
【０００４】
近い将来、ワイヤレス通信ネットワーク及びワイヤレスユーザ装置は、インターネットプロトコル（ＩＰ）ベースの技術を益々サポートすることになろう。ほとんどの固定ネットワークでは、ＩＰトラフィックの量が、回路交換トラフィックの量を既に越えている。又、ＩＰトラフィックが無線アクセスネットワーク（ＲＡＮ）を支配し始めるときには、ネットワークレイヤーを除去でき、そしてネイティブなＩＰ取り扱いによりコストを節減できることも提案されている。
【０００５】
無線リソースの管理は、将来の通信ネットワークにとって重要なタスクであり、特に、ルーティング機能を伴うパケット交換搬送ネットワーク、例えば、ＩＰパケットベースの搬送ネットワークを使用する通信ネットワークにとって重要なタスクである。ＩＰパケットベースの搬送は、ＩＰパケットの非常に基本的な特徴の１つを利用し、即ちユーザデータがＩＰによりパケット化されるとき、ＩＰパケットは、パケットの行先及びその起点に関する情報を備え、これは、パケットを容易にルーティングできるようにする。又、これは、ＩＰパケットが、他の形式のネットワークにおいて保護及び管理システムのような外部ロジックにより通常解決される問題であるネットワーク故障や一定のトポロジー変化をかなり許容できるようにする。ＩＰパケットの長さは可変であり、これは、種々の形式のシグナリング及びユーザデータに容易に適応できるようにする。
【０００６】
データがＩＰパケットフォームに入れられるときに、行先アドレスがルーターにおいて特定のルート判断を生じさせ、これにより、パケットがルートを経てその行先へ移動する。回路交換ネットワークでは、コンテンツがその行先を知らず、ネットワークは、接続をシグナリングする。接続が続く限り、ネットワーク容量は、そのシグナリングされた接続により予約される。パケットネットワークでは、ユーザデータが特定リンクを経て送信され、そしてそれにより生じる多数のパケットが同じ接続を共有することができる。
【０００７】
ルーティングは、当初、ファイル転送に対して設計されたものであり、従って、当然、その目的で最適化される。上述したルーティングは、充分なネットワーク容量が利用できそしてサービスクオリティ（ＱｏＳ）が考慮される限り、音声及びビデオ電話のようなリアルタイムトラフィックについても充分に機能する。
【発明の開示】
【発明が解決しようとする課題】
【０００８】
通信ネットワークが混雑し、例えば、通信ネットワークの一部分が過負荷状態になったときに、問題が生じる。混雑は、例えば、ルーター又は他のネットワーク要素が、ルーターからデータを転送できる速度より高速度でデータを受信する場合に生じ得る。トラフィックが、インターネットと同様に、移動ネットワークのＩＰ搬送部へ自由に流れることが許される場合には、特に、ベースステーションに接近した細い搬送部が混雑状態になることがある。
【０００９】
従来技術では、行先ルートが混雑したときに、例えば、ルーターの能力に基づいて、データパケットをドロップするか又はホールド状態に入れることが示唆されている。通信システムにおいてバッファに待ち行列処理されているパケットは、これをドロップして、到着するパケットのための余地を作ることができる。新たなパケットは、新たなデータのための余地が作られるまで通信システムの混雑部分に入ることが防止される。しかしながら、これらの技術は、データのドロップ又は遅延や、遅延の変化の問題を引き起こし、これは、サービスクオリティを低下させ、ひいては、特にリアルタイムテレコミュニケーションサービスにおいて望ましくない。
【００１０】
カバレージの観点から、ベースステーション付近のリンクに搬送容量があるというより、大きな無線容量を確立することが必要であろう。問題は、これが、例えば、あるセルから別のセルへのハンドオーバーが無線の観点から知覚できるが搬送の観点から知覚できない場合にも、混雑状態を終了させる可能性を高めてしまうことである。リンクが故障して搬送容量を低下させることにより、混雑が更に増大することもある。
【００１１】
又、データ混雑の問題は、本出願人の以前の特許出願（ＰＣＴ／ＩＢ０２／００９１９号）にも紹介されている。この特許出願では、データのルーティングによって問題が解決され、即ち、通信システムの混雑部分が識別され、そして選択されたベースステーションを経てデータをルーティングすることにより混雑部分のデータスループットが減少される。この特許出願には、ＩＰ搬送リソースマネージャー（ＩＴＲＭ）が説明されており、これは、送信ネットワークを通るＩＰデータ流を監視することにより、搬送制御、例えば、搬送ネットワークのサービスクオリティ（ＱｏＳ）を管理すると共に、とりわけトラフィックの混雑を指示する測定値をネットワークの種々の要素から受け取る。又、この特許出願には、共通リソースマネージメントサーバー（ＣＲＭＳ）と称するエンティティも説明されており、このＣＲＭＳは、無線リソース制御を管理する役割を果たす。ＣＲＭＳは、無線ネットワークの各無線セルから周期的な負荷及びＱｏＳ測定値を受け取り、そして当該無線アクセスネットワークの無線ネットワーク制御機能を果たすエンティティへのアドバイザーとして働く。この以前の特許出願は、ＩＴＭＲからＣＭＲＳへのメッセージを使用してＩＴＭＲとＣＭＲＳとの間に情報を通過させるやり方を紹介するものである。
【課題を解決するための手段】
【００１２】
本発明の目的は、無線システムにおいて無線リソースを管理するための改良された方法を提供することである。これは、無線システムにおいて無線リソースを管理する方法であって、無線リソースは、無線システムの無線ネットワークにおいてユーザ装置とベースステーションの無線セルとの間に無線接続を与えるのに使用され、前記方法は、無線セルに関する無線容量情報を受信するステップと、無線ネットワークのベースステーションをコアネットワークに接続するのに使用される搬送ネットワークに関する搬送容量情報を受信するステップと、前記搬送容量情報に基づいて無線セルに対する搬送容量限界を決定するステップと、前記無線セルの搬送容量限界をベースステーションへシグナリングするステップと、ベースステーションにおいて前記搬送容量限界に基づいて無線容量情報を調整するステップと、無線セルに関する前記調整された無線容量情報をベースステーションからシグナリングするステップと、無線セルに関する前記シグナリングされた調整された無線容量情報を使用することにより無線ネットワークの無線リソースを管理するステップと、を備えた方法により達成される。
【００１３】
又、本発明は、無線送信及び受信のための無線セルをユーザ装置に与える少なくとも１つのベースステーションを含む少なくとも１つの無線ネットワークと、無線ネットワークのベースステーションに無線システムのコアネットワークへの接続を与えるための搬送ネットワークと、無線ネットワークにおいてベースステーションとユーザ装置との間の無線リソースを管理するための無線リソース管理ユニットであって、無線セルに関する無線容量情報を受信するように構成された無線リソース管理ユニットと、搬送ネットワークのリソースを管理するための搬送リソース管理ユニットであって、搬送ネットワークに関する搬送容量情報を受信するように構成された搬送リソース管理ユニットと、を備え、前記搬送リソース管理ユニットは、前記搬送容量情報に基づいて無線セルに対する搬送容量限界を決定するように構成され、前記搬送リソース管理ユニットは、前記無線セルの搬送容量限界をベースステーションへシグナリングするように構成され、前記ベースステーションは、前記搬送容量限界に基づいて無線セルに関する無線容量情報を調整するように構成され、前記ベースステーションは、無線セルに関する前記調整された無線容量情報を、無線リソースの管理に使用すべく前記無線リソース管理ユニットへシグナリングするように構成され、更に、前記搬送リソース管理ユニットは、無線セルに関する前記シグナリングされた調整された無線容量情報を使用することにより無線ネットワークの無線リソースを管理するように構成される無線システムにも係る。
【００１４】
又、本発明は、無線送信及び受信のための無線セルをユーザ装置に与える少なくとも１つのベースステーションと、該ベースステーションとユーザ装置との間の無線リソースを管理するためのもので、無線セルに関する無線容量情報を受信するように構成された無線リソース管理ユニットとを備えた無線システム内で、搬送ネットワークリソースを管理しそして搬送ネットワークに関する搬送容量情報を受信するための搬送リソース管理ユニットにおいて、搬送容量情報に基づいて無線セルに対する搬送容量限界を決定すると共に、その搬送容量限界をベースステーションへシグナリングして、その搬送容量限界に基づいて無線容量情報を調整し、更に、その調整された無線容量情報を無線リソース管理ユニットへシグナリングし、そのシグナリングされた調整された無線容量情報を使用することにより無線ネットワークの無線リソースを管理するように構成された搬送リソース管理ユニットにも係る。又、本発明は、無線システムの無線ネットワークにおいてベースステーションとユーザ装置との間の無線リソースを管理するための無線リソース管理ユニットであって、無線セルに関する無線容量情報を受信するように構成された無線リソース管理ユニットにおいて、この無線リソース管理ユニットは、無線セルに関するシグナリングされた調整された無線容量情報を使用することにより無線ネットワークの無線リソースを管理するように構成され、前記シグナリングされた調整された無線容量情報は、ベースステーションからシグナリングされると共に、無線システムの搬送ネットワークに関する搬送容量情報に基づいて決定された搬送容量限界に基づいて調整されるような無線リソース管理ユニットにも係る。
【００１５】
又、本発明は、無線システムのコアネットワークへの接続をベースステーションに与えるための搬送ネットワークと、ベースステーションとユーザ装置との間の無線リソースを管理するための無線リソース管理ユニットと、無線セルに関する無線容量情報を受信するように構成された無線リソース管理ユニットと、更に、前記搬送ネットワークのリソースを管理するためのもので、前記搬送ネットワークに関する搬送容量情報を受信するように構成された搬送リソース管理ユニットとを備えた無線システム内で、無線送信及び受信のための無線セルをユーザ装置に与える無線システムのベースステーションにおいて、このベースステーションは、搬送容量情報に基づいて決定されて搬送リソース管理ユニットからシグナリングされた搬送容量限界に基づいて、無線セルの無線容量情報を調整するように構成され、更に、このベースステーションは、無線セルに関するその調整された無線容量情報を無線リソース管理ユニットへシグナリングして、その調整された無線容量情報を使用することにより無線リソースを管理するように構成されたベースステーションにも係る。
【００１６】
又、本発明は、無線送信及び受信のための無線セルをユーザ装置に与えるベースステーションであって、無線ネットワークのベースステーションとユーザ装置との間の無線リソースを管理するためのもので、無線セルに関する無線容量情報を受信するように構成された無線リソース管理ユニットと、搬送ネットワークのリソースを管理するためのもので、搬送ネットワークに関する搬送容量情報を受信するように構成された搬送リソース管理ユニットとを備えているようなベースステーションにおいて、前記搬送リソース管理ユニットは、搬送容量情報に基づいて無線セルに対する搬送容量限界を決定するように構成され、前記搬送リソース管理ユニットは、無線セルの搬送容量限界をベースステーションへシグナリングするように構成され、ベースステーションは、搬送容量限界に基づいて無線セルに関する無線容量情報を調整するように構成され、ベースステーションは、無線セルに関するその調整された無線容量情報を、無線リソースの管理に使用すべく前記無線リソース管理ユニットへシグナリングするように構成され、更に、前記搬送リソース管理ユニットは、無線セルに関するそのシグナリングされた調整された無線容量情報を使用することにより無線ネットワークの無線リソースを管理するように構成されたベースステーションにも係る。
【００１７】
本発明の好ましい実施形態は、従属請求項に開示される。
本発明の方法、システム、搬送リソース管理ユニット、無線リソース管理ユニット及びベースステーションは、多数の効果を発揮する。本発明は、無線システムの無線リソースを管理するとき、例えば、ハンドオーバーを実行し、ターゲットセルを選択し、又は移動装置のセルキャンピング振舞いを同調するときに、無線システムが搬送負荷状態を考慮できるようにする。本発明の実施形態において、無線及び搬送ネットワークの両方の観点から、考えられる最良のハンドオーバーターゲットセルを選択し、そして両ネットワークにおける混雑を回避することができる。
【００１８】
本発明の別の効果は、混雑状態におけるデータ混雑を迅速に減少するだけでなく、無線セル間で負荷をバランスさせて、混雑を前もって回避できるようにすることである。
【００１９】
本発明の別の効果は、搬送リソース管理ユニットと無線リソース管理ユニットとの間に新たなインターフェイスが必要とされないことである。無線リソース管理ユニットは、ネットワークが搬送リソース管理ユニットを含むかどうかに気付く必要すらない。
【発明を実施するための最良の形態】
【００２０】
以下、添付図面を参照して、本発明の好ましい実施形態を詳細に説明する。
図１を参照して、本発明の実施形態を適用できるシステムの一例として無線システムを説明する。図１では、無線システムの主要部分、即ちコアネットワーク（ＣＮ）１００と、無線アクセスネットワーク１３０、１２０、１６０と、ユーザ装置（ＵＥ）１７０とを備えた簡単な無線システムにおいて実施形態を説明する。
【００２１】
図１は、第２世代、第２．５世代及び第３世代のネットワーク要素が共存する異なる世代の無線アクセスネットワークの相互動作及び異なる技術を使用した進化する３Ｇ無線システムの一般的アーキテクチャーを示す。この説明において、第２世代の無線システムは、ＧＳＭ（移動通信用のグローバルシステム）により表わされ、そして第２．５世代の無線システムは、ＧＳＭをベースとする無線システムであって、ＥＤＧＥ技術（グローバルな進化のための改善データレート）を使用してデータ送信レートを高めると共に、ＧＰＲＳシステム（汎用パケット無線システム）におけるパケット送信を実施するのにも使用できる無線システムにより表わされる。第３世代の無線システムは、少なくともＩＭＴ−２０００（国際移動テレコミュニケーション２０００）及びＵＭＴＳ（ユニバーサル移動テレコミュニケーションズシステム）という名前で知られている無線システムにより表わされる。
【００２２】
ＧＳＭをベースとするベースステーションサブシステム（ＢＳＳ）１６０は、ベースステーションコントローラ（ＢＳＣ）１６６及びベーストランシーバステーション（ＢＴＳ）１６２、１６４より成る。ベースステーションコントローラ１６６は、ベーストランシーバステーション１６２、１６４を制御する。コアネットワーク１００とＢＳＳ１６０との間のインターフェイス１０６は、Ａと称される。ＢＳＣ１６６とＢＴＳ１６２、１６４との間のインターフェイスは、Ａ−ｂｉｓと称される。原理的に、無線経路を実施する装置及びそれらの機能は、ベーストランシーバステーション１６２、１６４に配置されねばならず、そして管理装置は、ベースステーションコントローラ１６６に配置されねばならない。実施は、当然、この原理からずれてもよい。
【００２３】
ＵＭＴＳ無線アクセスネットワーク（ＵＴＲＡＮ）１３０は、無線ネットワークサブシステム１４０より成る。各無線ネットワークサブシステム（ＲＮＳ）１４０は、無線ネットワークコントローラ（ＲＮＣ）１４６及びノードＢ１４２、１４４より成る。ノードＢは、抽象的概念であり、「ベースステーション」という用語にしばしば置き換えられる。異なる無線ネットワークサブシステムＲＮＳ１４０間のインターフェイスは、Ｉｕｒと称される。コアネットワーク１００とＵＴＲＡＮ１３０との間のインターフェイス１０８は、Ｉｕと称される。ＲＮＣ１４６とノードＢ１４２、１４４との間のインターフェイスは、Ｉｕｂと称される。無線ネットワークコントローラ１４６は、その機能については、ＧＳＭシステムのベースステーションコントローラ１６６にほぼ対応し、そしてノードＢ１４２、１４４は、ＧＳＭシステムのベースステーション１６２、１６４に対応する。又、同じ装置がベースステーション及びノードＢの両方として機能し、即ち装置がＴＤＭＡ（時分割多重アクセス）及びＷＣＤＭＡ無線インターフェイスを同時に実施できるような解決策も利用できる。
【００２４】
無線システムは、ＩＰ技術をベースとする無線アクセスネットワーク、即ちＩＰ  ＲＡＮ（インターネットプロトコル無線アクセスネットワーク、ＩＰ無線アクセスネットワーク）１２０を使用してもよい。図１は、本発明の実施形態を適用できる無線アクセスネットワーク（ＲＡＮ）の一例としてＩＰ  ＲＡＮ１２０を使用する無線システムにおけるＩＰ  ＲＡＮ１２０の役割を示す。ＩＰ  ＲＡＮ１２０は、ＩＰ技術をベースとする無線アクセスネットワークプラットホームであり、他のより従来の無線ネットワークアクセス技術及びネットワーク、例えば、ＵＴＲＡＮ（ＵＭＴＳ無線アクセスネットワーク）や、ＧＳＭ（移動通信用のグローバルシステム）又はＧＥＲＡＮ（ＧＳＭ  ＥＤＧＥ無線アクセスネットワーク）に使用されるＢＳＳ（ベースステーションサブシステム）等と相互作用することもできる。
【００２５】
ＩＰ  ＲＡＮ１２０は、図１に示すエンティティの次のグループ、即ちＩＰベースステーション（ＩＰ  ＢＴＳ）１２６、ＩＰ  ＲＡＮゲートウェイ、例えば、ＲＮＧＷ（無線アクセスネットワークゲートウェイ、ＲＡＮゲートウェイ）１２１、ＣＳＧＷ（回路交換ゲートウェイ）１２３、及びＲＮＡＳ（無線アクセスネットワークサーバー、ＲＡＮアクセスサーバー）１２７、並びに明瞭化のために図１に示されていないＩＰ  ＲＡＮ共通サーバーについて、簡単に説明することができる。又、ＩＰ  ＲＡＮは、これも図１に示されていないルーターのような他の要素も含む。
【００２６】
ＩＰ  ＲＡＮ１２０において、集中型コントローラ（ＲＮＣ１４６及びＢＳＣ１６６）のほとんどの機能は、ＩＰベースステーション１２６へ移動される。特に、全ての無線インターフェイスプロトコルは、ＩＰベースステーション１２６に終端される。例えば、共通のコンフィギュレーション及び幾つかの無線リソース（ＲＲ）ファンクションを実行するか、或いは従来の無線アクセスネットワーク又はベースステーションサブシステムや、コアネットワーク１００へのゲートウェイと相互作用するために、ＩＰベースステーション１２６の外部のエンティティが必要とされる。
【００２７】
又、図１は、異なる無線アクセスネットワークのベースステーションのカバレージエリア即ちセルも示す。従って、セル１４３及び１４５は、ノードＢ１４２及び１４４のカバレージエリアを表わし、そしてセル１６３及び１６５は、ベースステーション１６２及び１６４のカバレージエリアを表わす。１つのノードＢ１４２、１４４又はベースステーション１６２、１６４は、図１に示すように、１つのセルにサービスしてもよいし、或いはベースステーションの場合にセクター化されたセルである多数のセルにサービスしてもよい。ＩＰベースステーション（ＩＰ  ＢＴＳ）１２６のカバレージエリアは、図中の多数のセル１２４、１２５、１２８、１２９により表わされるが、ＩＰ  ＢＴＳは、１つのセルのみにサービスしてもよい。
【００２８】
図１に示すユーザ装置１７０は、無線アクセスネットワーク１２０への無線接続を確立するための少なくとも１つのトランシーバを備えた２Ｇ及び３Ｇの両システムに適用できるのが好ましい。通常、ユーザ装置１７０は、アンテナ、ユーザインターフェイス及びバッテリを更に備えた移動ステーションである。今日、例えば、車やポータブル装置にインストールされる装置のような種々の種類のユーザ装置１７０が入手でき、又、このユーザ装置１７０は、パーソナルコンピュータ又はポータブルコンピュータと同様の特性をもつこともできる。ユーザ装置１７０は、ユーザ装置のユーザにテレコミュニケーションシステムのコアネットワークへのアクセスを与えるために、ＩＰ  ＲＡＮ１２０のような無線アクセスネットワークのベースステーションを経て無線システムに接続される。
【００２９】
図２を参照して、ＩＰ  ＲＡＮの一般的プロトコルモデルを説明する。図２に示すように、ＩＰ  ＲＡＮ内部ファンクション及びプロトコルは、無線ネットワークレイヤー（ＲＮＬ）２００と、搬送ネットワークレイヤー２１０と、オペレーション・メンテナンス（Ｏ＆Ｍ）及びポリシーマネージメントレイヤー２２０の３つの異なるレイヤーに分類することができる。図２のようなプロトコルスタック図は、通常、制御平面２０２及びユーザ平面２１２の２つの平面を更に備えている。無線ネットワークレイヤー２００におけるアプリケーションプロトコル２０４及びデータストリーム２１４と、搬送ネットワークレイヤー２１０におけるシグナリンクベアラ２０６、搬送ネットワーク制御プロトコル２０８、データベアラ２１６、２２４及びＩＰレイヤー２０５と、Ｏ＆Ｍ及びポリシーマネージメントレイヤーにおけるアプリケーション２２２も、図２に示されている。制御平面２０２は、シグナリング情報を転送し、そしてユーザ平面２１２は、ユーザにより送信及び受信される全ての情報を転送する。無線ネットワークレイヤー２００は、無線即ちＲＡＮに関連した全てのファンクション及びプロトコル、又はセルラー特有のプロトコルを含む。搬送ネットワークレイヤー２１０は、ＩＰ  ＲＡＮに使用されるべく選択された標準的な搬送技術を表わす。ＩＰ  ＲＡＮでは、搬送ネットワークレイヤー２１０は、シグナリングベアラ及びデータベアラを与えると共にユーザ平面接続の設定を制御することしか意図されないＵＴＲＡＮよりも広い範囲を有する。搬送レイヤー２１０は、コアネットワーク１００（図１に示す）とで共有される。オペレーション・メンテナンス及びポリシーマネージメントレイヤー２２０は、ネットワークオペレーション及びメンテナンスと、ネットワークポリシー管理とを行う。各レイヤーは、論理的エンティティに関して説明することができる。物理的アーキテクチャー及び物理的ネットワーク要素は、各レイヤーに対して２つ以上の論理的エンティティを含んでもよい。無線テレコミュニケーションシステムに関する更なる情報は、この分野の文献や規格に見ることができる。
【００３０】
図３は、無線システムにおいて無線リソースを管理するやり方を示す。ＩＰ  ＲＡＮベースのシステムを一例として使用して簡単な無線システムにおいて実施形態を説明する。しかしながら、この実施形態は、一例として示すシステムに限定されるものではなく、当業者であれば、この解決策を他の無線システムや、必要な特性が与えられたそれらの組合せに適用することができよう。
【００３１】
図３の無線システムは、無線アクセスネットワーク（ＲＡＮ）、この場合は、ＩＰ  ＲＡＮ１２０を含むが、無線アクセスネットワークは、ルーティング機能を伴う他のパケット交換ネットワークでもよい。又、無線システムは、例えば、仮想プライベートネットワーク（ＶＰＮ）でもよい。
【００３２】
無線システムは、少なくとも第１ユーザ装置３７０を備えている。図３には、第２ユーザ装置３７２も示されている。図３のＩＰ  ＲＡＮ１２０は、無線ネットワーク３２４及び搬送ネットワーク３２２を備えている。無線ネットワーク３２４の論理的機能は、図１で述べたように、無線送信及び受信のための無線セル１２４、１２５、１２８、１２９をユーザ装置１７０に与えることである。搬送ネットワーク３２２の論理的機能は、無線セル１２４、１２５、１２８、１２９にコアネットワーク１００への接続を与えることである。
【００３３】
無線ネットワーク３２４は、ベースステーション（ＢＴＳ）３２６、３２８、この場合は、ＩＰベースステーションを備えている。第１ベースステーション３２６は、第１ユーザ装置３７０に、無線システムへのアクセスを与えるための無線接続３０７を与える。第２ユーザ装置３７２も、該ユーザ装置３７２に無線接続３０６を与える第１ベースステーション３２６を経て無線ネットワーク３２４に接続される。
【００３４】
無線システムでは、ベースステーションにより形成される無線セルが、通常、ある程度は重畳して、広範なカバレージを与える。既存の無線システムでは、無線接続を経て互いに通信するユーザ装置及びベースステーションによりワイヤレステレコミュニケーション接続が確立され、即ち異なるユーザターミナル間のコール又はデータ送信接続がベースステーションを経て確立される。これは、図３に、無線接続３０６、３０７、３０８で示されている。特に、図３は、移動装置でよいユーザ装置３７０が無線接続を経て第１ベースステーション３２６と通信し、このベースステーション３２６と第２ベースステーション３２８の共通のパイロットを、考えられるハンドオーバーに対して同時に測定する。典型的な状態において、ユーザ装置の無線接続は、新たなセルに空き容量がありそして新たな接続のクオリティが良好なものであるときに、第１ベースステーションから第２ベースステーションへ移行する。チャンネル及びセルハンドオーバーは、ユーザターミナルが移動するとき又は物理的な無線チャンネルが時間の関数として変化するときに無線接続を継続できるようにする。
【００３５】
コアネットワーク１００は、異なる世代のコアネットワーク、例えば、２Ｇコアネットワーク３３２、３Ｇコアネットワーク３３４、３Ｇパケットコアネットワーク３３６、及び２Ｇパケットコアネットワーク３３８を備えている。
【００３６】
又、ＩＰ  ＲＡＮ１２０は、コアネットワーク及び他の無線アクセスネットワークからＩＰ  ＲＡＮへのアクセスポイントである無線アクセスネットワークゲートウェイも備えている。無線アクセスネットワークゲートウェイは、ＣＳＧＷ（回路交換ゲートウェイ、ＣＳゲートウェイ）１２３、ＲＮＧＷ（無線アクセスネットワークゲートウェイ、ＲＡＮゲートウェイ）１２１、及びＲＮＡＳ（無線アクセスネットワークサーバー、ＲＡＮアクセスサーバー）１２７（図１に示す）である。搬送ネットワーク３２２は、接続３１４を経てＣＳＧＷ１２３に接続されると共に、接続３１５を経てＲＮＧＷ１２１に接続される。図３の例では、両接続３１４及び３１５がＩＰ接続として実施されるが、それらの実施はＩＰに限定されず、他の適当な技術を使用することもできる。
【００３７】
２Ｇコアネットワーク３３２は、インターフェイスＡを経てＣＳＧＷ１２３に接続された２Ｇ移動ステーションコントローラ（２Ｇ  ＭＳＣ）３２３を備えている。３Ｇコアネットワーク３３４は、Ｉｕ−ＣＳインターフェイスを経てＣＳＧＷ１２３に接続された３Ｇ移動ステーションコントローラ（３Ｇ  ＭＳＣ）３２５を備えている。３Ｇパケットコアネットワーク３３６は、Ｉｕ−ＰＳインターフェイスを経てＲＮＧＷ１２１に接続される。２Ｇパケットコアネットワーク３３８は、Ｇｐ／ＩＰインターフェイスを経て搬送ネットワーク３２２に接続される。又、図３の無線システムは、無線ネットワークにおいてベースステーションとユーザ装置との間の無線リソースを管理するための無線リソース管理ユニット３０１も備えている。この無線リソース管理ユニット３０１は、無線容量情報を受信するように構成される。無線容量情報は、無線セルのセル負荷として指示することができる。図３の例では、無線リソース管理ユニット３０１は、共通リソース管理サーバー（ＣＲＭＳ）と称されるエンティティであるＲＡＮ共通サーバーの１つにより実施される。しかしながら、この実施形態は、ＣＲＭＳに限定されるものではなく、無線リソース管理ユニット３０１は、無線ネットワーク３２４に関する無線容量情報を受信するように構成されたいかなるエンティティでもよい。
【００３８】
又、図３の無線システムは、搬送ネットワークリソースを管理するための搬送リソース管理ユニット３００も備えている。この搬送リソース管理ユニット３００は、無線セルに対して使用可能な搬送ネットワーク３２２に関する搬送負荷情報を受信するように構成される。図３の例では、搬送リソース管理ユニット３００は、ＩＰ搬送リソースマネージャー（ＩＴＲＭ）と称するエンティティにより実施される。このＩＴＭＲは、搬送ネットワーク３２２の論理的アーキテクチャーに属し、そしてコアネットワークではなく、ＩＰ搬送ネットワークのアクセス部分にわたりリソースを管理及び監視する。しかしながら、この実施形態は、ＩＴＲＭに限定されず、搬送リソース管理ユニット３００は、搬送ネットワーク３２２の搬送負荷を測定するように構成されたいかなるエンティティでもよい。
【００３９】
搬送リソース管理ユニット３００は、搬送ネットワークの搬送容量を指示する測定値及びレポートを受信する。搬送容量は、搬送負荷として指示することができる。搬送リソース管理ユニット３００は、搬送ネットワーク３２２から受信した搬送容量情報に基づいて、各無線セル１２４、１２５、１２８、１２９に対するトラフィック容量限界を決定することができる。各ベースステーションに３２６、３２８に対して搬送リソース管理ユニット３００により決定されるトラフィック容量限界は、コアネットワークに向うゲートウェイへのユーザトラフィックの上限である。又、トラフィック容量限界は、ベースステーションから他のベースステーション、通常、隣接ベースステーションへのユーザトラフィックの上限でもある。
【００４０】
搬送リソース管理ユニット３００は、無線セルの搬送容量限界を各ベースステーションへシグナリングする。
【００４１】
次いで、ベースステーション３２６、３２８は、搬送容量限界に基づいて無線セルに関する無線容量情報を調整する。ベースステーション３２６、３２８は、その調整された無線容量情報を無線リソース管理ユニット３０１へシグナリングする。従って、セルの負荷を反映する無線容量情報が、搬送ネットワークの搬送負荷も反映するように調整される。
【００４２】
無線リソース管理ユニット３０１は、その調整された無線容量情報を使用して、無線リソースを管理し、例えば、ハンドオーバーリストを再整理する。
【００４３】
ベースステーション３２６、３２８は、この搬送容量限界を使用して、無線セルの使用可能な無線容量を調整することができる。ベースステーション３２６、３２８は、例えば、近付きつつあるハンドオーバー又は初期アクセスのような新たなアクセス要求受信したときにこの情報を使用することができる。
【００４４】
又、無線リソース管理ユニット３０１は、セル間の負荷をバランスするためにセルアクセスパラメータを同調することもできる。無線リソース管理ユニット３０１は、該無線リソース管理ユニット３０１が無線セルから受信した無線容量情報で指示された無線インターフェイスの負荷に加えて、搬送ネットワークの搬送負荷も、ここで、自動同調の際に考慮することができる。従って、既に混雑した状態における混雑の緩和に加えて、無線システムの混雑を前もって回避することもできる。
【００４５】
図３の実施形態を更に明確にするための一例をここに使用する。搬送リソース管理ユニット３００は、接続３１６を経て搬送ネットワーク３２２に接続され、そして例えば、接続３１３、３１４、３１５、３１７、３１８のような搬送ネットワークの搬送容量に関する情報を受信する。ＣＳＧＷ１２３及びＲＮＧＷ１２１に向う接続３１４、３１５、並びにベースステーション３２８、３２６からの接続３１７、３１８は、搬送ネットワーク３２２の一部分である。ベースステーション間の接続、例えば、ＢＴＳ３２６とＢＴＳ３２８との間の接続３１８、３１３、３１７も、搬送ネットワーク３２２に属している。無線リソース管理ユニット３０１は、ＢＴＳ３２６及びＢＴＳ３２８の無線容量に関する情報を、接続３１２を経て受信し、これは、例えば、無線接続３０７、３０６及び３０８のようなエアインターフェイスの負荷を反映する。接続３１３、３１４、３１５、３１７又は３１８において高い搬送負荷が検出されると、搬送リソース管理ユニット３００は、接続３１１を使用してＢＴＳ３２６及びＢＴＳ３２８へコマンドを発して、接続３１８、３１３、３１７、３１４又は３１５を経て通信を要求するユーザへそれらが許可する容量を減少するように指令する。同時に、無線リソース管理ユニット３０１がＢＴＳ３２６又はＢＴＳ３２８から接続３１２を経て受信する情報は、ＢＴＳ３２６、３２８が搬送リソース管理ユニット３００から受信したコマンドを反映するように自動的に調整される。ここで、全ての要素、即ちＢＴＳ３２６、３２８、搬送リソース管理ユニット３００及び無線リソース管理ユニット３０１は、搬送リソース管理ユニット３００と無線リソース管理ユニット３０１との間に直接的な接続を伴わずに、一貫した容量情報に基づいて機能する。接続３１８、３１３、３１７、３１４又は３１５の搬送負荷が減少して正常へ戻ると、搬送リソース管理ユニット３００は、ＢＴＳ３２６、３２８に、全てのエアインターフェイス容量を使用するように指令し、これが、無線リソース管理ユニット３０１に更に自動的に通知される。
【００４６】
従って、この例に鑑み、ここに説明する実施形態の考え方は、無線容量情報、より詳細には、例えば、ハンドオーバー又はアクセス要求が到着するときに、無線リソース管理ユニット３０１へ報告されてＢＴＳ３２６、３２８により使用される無線セルに関する無線容量情報を、例えば、ハンドオーバーのアンカーポイントから各ベースステーションへの搬送ネットワーク３２２の搬送容量及び負荷状態を反映する搬送容量限界に基づいて、動的に調整することにある。
【００４７】
ＢＴＳから無線リソース管理ユニットへシグナリングされる無線容量情報は、無線セルのセル負荷として指示され得る。通常、これは、セルの使用可能な最大容量に関する情報と、例えば、最大容量のパーセンテージとして表わされた現在負荷情報とを表現するパラメータを含む。或いは又、無線容量情報は、使用可能な無線容量を反映するパラメータを含んでもよい。
【００４８】
ここに開示するファンクションは、無線システムの異なる部分において、ソフトウェアにより、通常、プロセッサ及びそのソフトウェアとして実施できるが、例えば、ロジックコンポーネントから形成された回路、又は１つ以上の特定用途向け集積回路ＡＳＩＣのような種々のハードウェア解決策も実現可能である。これらの異なる実施の混成も、実現可能である。実施方法を選択するときに、当業者であれば、装置のサイズ及び電力消費、必要な処理容量、製造コスト及び生産量に関して設定される要件を考慮するであろう。
【００４９】
図４のフローチャートを参照して、無線システムにおける無線リソースを管理するための方法を説明する。無線リソースは、無線システムの無線ネットワークにおいて無線セルの各ベースステーションとユーザ装置との間に無線接続を与えるのに使用される。
【００５０】
この方法は、４００で開始する。４０２において、ユーザ装置に使用可能な無線セルのセル負荷を指示する無線容量情報が受け取られる。
【００５１】
４０４において、無線セルに使用可能な搬送ネットワークに関する搬送容量情報が受け取られ、搬送ネットワークは、無線ネットワークのベースステーションをコアネットワークに接続するのに使用される。
【００５２】
４０６において、搬送容量情報に基づいて、無線セルの搬送容量限界が決定される。
４０８において、無線セルの搬送容量限界が、無線セルの各ベースステーションへシグナリングされる。
【００５３】
４１０において、受け取った搬送容量限界に基づいてベースステーションにおいて無線容量情報が調整される。
４１２において、無線セルの調整された無線容量情報が、無線ネットワークの無線リソースを管理するのに使用すべくベースステーションからシグナリングされる。
【００５４】
４１４において、無線ネットワークの無線リソースは、無線セルに関するシグナリングされた調整された無線容量情報を使用することにより管理される。
この方法は、４１６で終了となる。
【００５５】
ここに開示する方法は、以上に開示した無線システムによって実施できるが、他の種類の無線システムを使用することもできる。
この方法によれば、無線セルの使用可能な無線容量は、受け取られた搬送容量限界に基づいて調整することができる。
【００５６】
この方法において、無線容量情報は、無線セルのセル負荷として指示することができる。搬送容量情報は、搬送ネットワークの搬送負荷として指示することができる。
【００５７】
この方法の一実施形態において、無線容量情報は、無線セルの現在及び最大のセル負荷を指示する。
この方法の別の実施形態において、無線容量情報は、無線セルの現在セル負荷及び使用可能な無線容量を指示する。
【００５８】
この方法の一実施形態において、搬送容量情報は、無線ネットワークの１つのベースステーションから無線ネットワークの別のベースステーションへの接続の搬送負荷を指示する。
【００５９】
この方法の一実施形態において、無線セルの調整された無線容量情報は、ベースステーションから、無線リソースの管理に使用すべく無線リソース管理ユニットへシグナリングされる。一実施形態において、無線セルの調整された無線容量情報は、ベースステーションから共通無線リソース管理サーバーへシグナリングされる。
【００６０】
この方法の一実施形態において、無線セルの搬送容量限界は、搬送リソース管理ユニットにおいて決定される。一実施形態において、無線セルの搬送容量限界は、インターネットプロトコル搬送リソースマネージャーにおいて決定される。
【００６１】
この方法の一実施形態において、ハンドオーバーリストは、無線セルの調整された無線容量情報に基づいて編成される。
この方法の一実施形態において、無線セルの調整された無線容量情報は、ベースステーション許可要求を取り扱うときに使用される。
【００６２】
この方法の一実施形態において、無線セルの調整された無線容量情報は、ハンドオーバー要求を取り扱うときに使用される。
添付図面に示された例を参照して本発明を説明したが、本発明は、これに限定されるものではなく、特許請求の範囲内で種々の変更がなされ得ることが明らかであろう。
【図面の簡単な説明】
【００６３】
【図１】無線システムの一例を示す図である。
【図２】無線アクセスシステムのための一般的なプロトコルモデルの一例を示す図である。
【図３】無線システムの別の例を示す図である。
【図４】無線システムにおける無線リソースを管理する方法を示すフローチャートである。
【図１】
2005539445.tif 000003
【図２】
2005539445.tif 000004
【図３】
2005539445.tif 000005
【図４】
2005539445.tif 000006
【国際調査報告】
2005539445.tif 000007
2005539445.tif 000008
2005539445.tif 000009